(57)【要約】【課題】天蓋の上面に対する外荷重による天蓋の撓みを抑止しながらも、ダクト組付時の作業効率を向上させることのできる配管用又は配線用化粧ダクトを提供する。【解決手段】左右一対のダクト側板２を配管支持用又は配線支持用の下部連結体３で連結した構造のダクト本体１に、それの上部開口１ａを覆う天蓋４が脱着自在に装着されているとともに、天蓋４の上面に対する外荷重による天蓋４の撓みを抑止する天蓋補強部材５が設けられている配管用又は配線用化粧ダクトＤにおいて、天蓋補強部材５が、天蓋４とは独立した状態で部材長手方向においてダクト本体１の両ダクト側板２、２間に架設可能に構成されているとともに、その天蓋補強部材５における部材幅方向両側縁の各上端部には、天蓋補強部材５の両ダクト側板２、２間への架設状態において上部開口１ａの開口位置で天蓋４の下面を面当接状態で支持する支持片５ａが、部材長手方向に伸びる帯状形状で部材幅方向外向きに突出形成されている。【選択図】図２
2008032080.tif 000002
【特許請求の範囲】
【請求項１】
左右一対のダクト側板を配管支持用又は配線支持用の下部連結体で連結した構造のダクト本体に、それの上部開口を覆う天蓋が脱着自在に装着されているとともに、天蓋の上面に対する外荷重による天蓋の撓みを抑止する天蓋補強部材が設けられている配管用又は配線用化粧ダクトであって、
前記天蓋補強部材が、前記天蓋とは独立した状態で部材長手方向において前記ダクト本体の両ダクト側板間に架設可能に構成されているとともに、
その天蓋補強部材における部材幅方向両側縁の各上端部には、天蓋補強部材の前記両ダクト側板間への架設状態において前記上部開口の開口位置で前記天蓋の下面を面当接状態で支持する支持片が、部材長手方向に延びる帯状形状で部材幅方向外向きに突出形成されている配管用又は配線用化粧ダクト。
【請求項２】
前記天蓋補強部材の長手方向両端部には、前記ダクト本体における両ダクト側板の各上端部に載置支持される載置部が各々形成されているとともに、それら載置部の各先端部には、ダクト側板の外方側への傾倒をダクト側板の外面との接当により規制する規制片が形成されている請求項１記載の配管用又は配線用化粧ダクト。
【請求項３】
前記規制片が、前記載置部の先端部において部材幅方向に間隔を空けて複数形成されている請求項２記載の配管用又は配線用化粧ダクト。
【請求項４】
前記規制片が、前記載置部の先端部における部材幅方向両端部の各々に形成されているとともに、前記ダクト本体におけるダクト側板の上端部に形成の係合孔に係合する舌片が、前記規制片どうしの間の部材幅方向中間部に形成されている請求項３記載の配管用又は配線用化粧ダクト。
【発明の詳細な説明】
【技術分野】
【０００１】
本発明は、複数の空調用配管や電気ケーブル等を集合状態で配設する場合において、例えば、点検者等が歩行可能な歩廊用として用いられる配管用又は配線用化粧ダクトに関し、詳しくは、左右一対のダクト側板を配管支持用又は配線支持用の下部連結体で連結した構造のダクト本体に、それの上部開口を覆う天蓋がボルト等により脱着自在に装着されているとともに、天蓋の上面に対する外荷重による天蓋の撓みを抑止する天蓋補強部材が設けられている配管用又は配線用化粧ダクトに関するものである。
【背景技術】
【０００２】
従来、この種の配管用又は配線用化粧ダクトは、前記天蓋補強部材としての金属製の補強棒をダクト幅方向に沿わせて天蓋の下面に予め点溶接により固着することで、その天蓋補強部材を固着した分だけ天蓋の剛性を向上させて、天蓋の上面に対する外荷重（例えば、点検者等の体重などの荷重）による天蓋の撓みを抑止するようにしていた。
【発明の開示】
【発明が解決しようとする課題】
【０００３】
ところが、上記の如き従来の配管用又は配線用化粧ダクトでは、天蓋の上面に対する外荷重による天蓋の撓みを抑止するために天蓋補強部材が相当の重量になるのに対し、その天蓋補強部材を天蓋に予め固着するから、その分、天蓋の重量が大幅に増加してダクト組付時における天蓋の取り扱い性が低下してしまい、そのことで、ダクト本体に対する天蓋の装着操作に要する人員が増加したり、天蓋の装着操作に要する時間が増加したりするなど、ダクト組付時の作業効率が大幅に低下する問題があった。
【０００４】
この実情に鑑み、本発明の主たる課題は、天蓋の上面に対する外荷重による天蓋の撓みを抑止しながらも、ダクト組付時の作業効率を向上させることのできる配管用又は配線用化粧ダクトを提供する点にある。
【課題を解決するための手段】
【０００５】
本発明の第１特徴構成は配管用又は配線用化粧ダクトに係り、その特徴は、
左右一対のダクト側板を配管支持用又は配線支持用の下部連結体で連結した構造のダクト本体に、それの上部開口を覆う天蓋が脱着自在に装着されているとともに、天蓋の上面に対する外荷重による天蓋の撓みを抑止する天蓋補強部材が設けられている配管用又は配線用化粧ダクトであって、
前記天蓋補強部材が、前記天蓋とは独立した状態で部材長手方向において前記ダクト本体の両ダクト側板間に架設可能に構成されているとともに、
その天蓋補強部材における部材幅方向両側縁の各上端部には、天蓋補強部材の前記両ダクト側板間への架設状態において前記上部開口の開口位置で前記天蓋の下面を面当接状態で支持する支持片が、部材長手方向に延びる帯状形状で部材幅方向外向きに突出形成されている点にある。
【０００６】
上記特徴構成によれば、天蓋補強部材を天蓋とは独立した状態で両ダクト側板間に架設したのちに天蓋単独でダクト本体に対し装着操作を行うことができるから、天蓋補強部材と天蓋とを別々に取り扱うことができ、これにより、天蓋補強部材と天蓋とを一体的に取り扱う前述の従来構造に比べ、天蓋の取り扱い性を高く確保することができて、この点で、ダクト組付時の作業効率を向上させることができる。
【０００７】
しかも、天蓋補強部材の前記両ダクト側板間への架設状態において前記上部開口の開口位置で前記天蓋の下面を面当接状態で支持する支持片が、部材幅方向両側縁の各上端部に部材長手方向に延びる帯状形状で部材幅方向外向きに突出形成されているから、例えば、前記支持片が部材幅方向の内向きに突出形成されている場合に比べ、天蓋補強部材による支持力を天蓋の下面の広範囲に作用させることができ、これにより、天蓋の上面に対する外荷重による天蓋の撓みを効果的且つ効率良く抑止することができる。
【０００８】
本発明の第２特徴構成は、第１特徴構成の実施に好適な実施形態を特定するものであり、その特徴は、
前記天蓋補強部材の長手方向両端部には、前記ダクト本体における両ダクト側板の各上端部に載置支持される載置部が各々形成されているとともに、それら載置部の各先端部には、ダクト側板の外方側への傾倒をダクト側板の外面との接当により規制する規制片が形成されている点にある。
【０００９】
上記特徴構成によれば、両ダクト側板の各上端部に載置支持される載置部の各先端（すなわち、部材長手方向外側）に上記規制片が形成されているから、天蓋補強部材を両ダクト側板間に架設した状態において、両ダクト側板を両規制片で挟持する形態でダクト側板の外方側への傾倒を効果的に抑止することができる。
【００１０】
本発明の第３特徴構成は、第２特徴構成の実施に好適な実施形態を特定するものであり、その特徴は、
前記規制片が、前記載置部の先端における部材幅方向両端部に各々形成されている点にある。
前記規制片が、前記載置部の先端部において部材幅方向に間隔を空けて複数形成されている点にある。
【００１１】
つまり、例えば、前記規制片が前記載置部の先端の部材幅方向の全長に亘って形成されている場合では、ダクト側板の外面とこれに接当する規制片の一方又は両方の湾曲によりダクト側板の外面と規制片との接当が点接当になるなど、ダクト側板の外面と規制片との部材幅方向での接当範囲が短くなって、ダクト側板の外方側への傾倒を抑止する効果が不測に低減されてしまう虞がある。
【００１２】
これに対し、前記規制片が、前記載置部の先端部において部材幅方向に間隔を空けて複数形成されている上記第３特徴構成であれば、ダクト側板の外面に対する部材幅方向での規制片の接当範囲として少なくとも複数の規制片どうしの間隔長さ分の範囲を確実且つ効果的に確保することができて、ダクト側板の外方側への傾倒を抑止する効果を安定的に得ることができる。
【００１３】
本発明の第４特徴構成は、第３特徴構成の実施に好適な実施形態を特定するものであり、その特徴は、
前記規制片が、前記載置部の先端部における部材幅方向両端部の各々に形成されているとともに、前記ダクト本体におけるダクト側板の上端部に形成の係合孔に係合する舌片が、前記規制片どうしの間の部材幅方向中間部に形成されている点にある。
【００１４】
上記特徴構成によれば、前記載置部の先端部における部材幅方向両端部に各々形成の規制片により、ダクト側板の外方側への傾倒を安定的且つ効果的に抑止することができながらも、それら規制片どうしの間の部材幅方向中間部に形成の舌片とダクト側板の上端部に形成の係合孔との係合により、ダクト側板の上端部に対する天蓋補強部材の位置移動を効果的に抑止することができる。
【発明を実施するための最良の形態】
【００１５】
図１〜図４は、複数の空調用配管や電気ケーブル等の配管Ｐを集合状態で配設する場合において、点検者等が歩行可能な歩廊用として用いられる直線型の化粧ダクトＤを示し、この化粧ダクトＤは、左右一対の板金製のダクト側板２（親桁）を配管支持用又は配線支持用の金属製の下部連結体３（子桁）の複数本で連結した構造のダクト本体１に、それの上部開口１ａを覆う天蓋４がビス等の止着手段により脱着自在に装着されているとともに、天蓋４の上面に対する外荷重による天蓋４の撓みを抑止する金属製の天蓋補強部材５を、天蓋４の下方にダクト長手方向で間隔を空けて複数設けて構成されている。
【００１６】
前記ダクト側板２の下端部には、斜め下向きの略４５度の角度でダクト内方側に延びる下部傾斜辺部２ａと、その下部傾斜辺部２ａの先端から水平姿勢でダクト内方側に延出される下部折縁部２ｂを形成してあり、この下部折縁部２ｂには、前記下部連結体３、及び、金属製の底板や隣接するダクト本体Ｄの端部どうしを固定連結するための金属製の継手部材等に対する複数の取付け孔２ｃが貫通形成されている。
【００１７】
また、各ダクト側板２の上端部には、斜め上向き略４５度の角度でダクト内方側に延びる上部傾斜辺部２ｄと、その上部傾斜辺部２ｄの先端から水平姿勢でダクト内方側に延出される上部折縁部２ｅを形成してあり、この部折縁部２ｅには、天蓋４をビス止めするためのナット２ｆが固着されているとともに、両ダクト側板２の両上部折縁部２ｅに亘って載架される前記天蓋保持板６の係止部６ａに対する係止孔２ｇ、及び、両ダクト側板２の両上部折縁部２ｅに亘って載架される前記天蓋補強部材５の舌片５ｅが挿通状態で係合可能な係合孔２ｈ、並びに、継手部材に対する複数の取付け孔２ｉが形成されている。
【００１８】
前記下部連結体３は、横断面形状が略Ｃの字状となるように、取付け時にダクト長手方向となる幅方向の四箇所で折り曲げ形成されていて、両ダクト側板２の両下部折縁部２ｂに亘って載架可能な長さを備えた底板部３Ａと、幅方向で相対向する一対の側板部３Ｂと、それの上端から幅方向内方側の斜め下方に向かって延出される一対の傾斜天板部３Ｃから構成されている。
【００１９】
また、前記下部連結体３の長手方向両側における各端面は、ダクト側板２の下部折縁部２ｂに載置させた状態で下部傾斜辺部２ａに接当可能な傾斜面に構成されているとともに、下部連結体３の底板部３Ａには、ダクト側板２の下部折縁部２ｂに対する取付け孔が貫通形成されていて、その取付け孔とダクト側板２の下部折縁部２ｂの取付け孔２ｃを介したボルト等の連結手段による連結により、下部連結体３が両ダクト側板２、２に連結されている。
【００２０】
６は、天蓋４の自重を支持可能な強度に構成された天蓋保持板である。この天蓋保持板６は、横断面形状が略Ｃの字状となるように、取付け時にダクト長手方向となる幅方向の四箇所で折り曲げ形成されていて、両ダクト側板２の両上部折縁部２ｅに亘って載架可能な長さを備えた底板部６Ａと、幅方向で相対向する一対の側板部６Ｂと、それの上端から幅方向内方側に水平姿勢で延出される一対の天板部６Ｃから構成され、その底板部６Ａの長手方向両側部には、ダクト側板２の上部折縁部２ｅに係止するための係止部６ａが下向きに突出形成されている。
【００２１】
なお、この天蓋保持板６は、当該歩廊用の化粧ダクトＡにかかわらず歩廊用でない化粧ダクトにも適宜に配設されるものであり、例えば、上流端から下流端に亘る化粧ダクト構造体の全般に亘って適当間隔に配設される。
【００２２】
前記天蓋補強部材５は、天蓋４とは独立した状態（つまり、天蓋補強部材から離脱した状態）で部材長手方向（換言すれば、ダクト幅方向）において両ダクト側板２、２間に架設可能に構成されているとともに、その天蓋補強部材５における部材幅方向（換言すれば、ダクト長手方向）両側縁の各上端部には、天蓋補強部材５の両ダクト側板２、２間への架設状態においてダクト本体１の上部開口１ａの開口位置で天蓋４の下面を面当接状態で支持する支持片５ａが、部材長手方向に延びる帯状形状で部材幅方向外向きに突出形成されている。
【００２３】
具体的には、天蓋補強部材５は、両ダクト側板２の両下部折縁部２ｂに亘って載架可能な長さを備えた底板部５Ａの長手方向中間部（詳しくは、取付け時にダクト本体１の上部開口１ａの開口位置に位置する部分）に、幅方向で相対向する一対の側板部５Ｂを立ち上げ形成するとともに、前記支持片５ａを各側板部５Ｂの上端から部材幅方向外方側に水平姿勢で延出して構成されている。
【００２４】
そのため、天蓋補強部材５を天蓋４とは独立した状態で両ダクト側板２、２間に架設したのちに天蓋４単独でダクト本体１に対し装着操作を行うことができるから、天蓋補強部材５と天蓋４とを別々に取り扱うことができて、天蓋補強部材５と天蓋４とを一体的に取り扱う場合に比べ、天蓋４の取り扱い性を高く確保することができ、しかも、各側板部５Ｂの上端から部材幅方向外方側に水平姿勢で延出された一対の支持片５ａによって、天蓋補強部材５による支持力を天蓋４の下面の広範囲に作用させることができる。
【００２５】
前記底板部５Ａの部材長手方向両端部は、その下面がダクト側板２の上部折縁部２ｅに面当接状態で載置される載置部５ｂを構成するとともに、その載置部５ｂの部材幅方向両端部（載置部５ｂにおける部材幅方向に間隔を空けた部位の一例）には、ダクト側板２に載置部５を載置した状態（すなわち、両ダクト側板２、２間への架設状態）において、両ダクト側板２の外面（詳しくは、上部傾斜辺部２ｄ）に対し面当接状態でダクト側板２の外方側への傾倒を接当規制する規制片５ｃが部材長手方向外側に向かって斜め下方向きに延出されている。
【００２６】
そのため、前記両規制片５ｃのダクト側板２に対する接当により天蓋補強部材５が両ダクト側板２に対する所定姿勢に案内される状態で、天蓋補強部材５を両ダクト側板２、２間に架設することができ、そして、天蓋補強部材５の両ダクト側板２、２間への架設状態において、両規制片５ｃがダクト本本体１（詳しくは、両ダクト側板２、２）を外方側から挟持する形態でダクト側板２の外方側への傾倒を効果的に抑止することができる。
【００２７】
前記載置部５ｂの部材幅方向中間部の下面には、前記天蓋補強部材５の両ダクト側板２、２間への架設状態において、ダクト側板２に形成した係合孔２ｈに挿通される状態で係合する舌片５ｅが突出形成されていて、舌片５ｅの係合孔２ｈの内面に対する接当により天蓋補強部材５のダクト本体１に対する位置が保持されるように構成されている。なお、規制片５ｃ及び舌片５ｅは夫々載置部５ｂを折り曲げることにより形成されている。
【００２８】
また、舌片５ｅは、図４に示すように、その先端が前記規制片５ｃの下端よりも下方に位置する突出長さで形成されていて、天蓋補強部材５がダクト本体１に対し上方側に移動することで規制片５ｃとダクト側板２との接当状態が解除された場合でも係合孔２ｈとの係合状態を極力維持できるように構成されている。なお、５ｄは、製作材料の低減を図るための一対の半円状の切欠である。
【００２９】
前記天蓋４の左右両側縁部は、前記天蓋補強部材５（詳しくは、規制片５ｃ）の上面に沿って当て付けられる傾斜折縁部４ａが形成されていて、天蓋補強部材５の上面に対して安定的に載置装着できるように構成されている。
【００３０】
〔その他の実施形態〕
〔１〕前述の実施形態では、天蓋補強部材５と天蓋保持部材６の両方を配設して化粧ダクトＤを構成していたが、例えば、天蓋保持部材６を設けずに天蓋補強部材５だけを配設して化粧ダクトＤを構成してもよい。
【００３１】
〔２〕天蓋補強部材５や天蓋保持部材６の配設間隔などの具体的構成は、ダクト本体１や天蓋４の重量や強度、或いは、積載予定荷重などに応じ適宜変更すればよい。
【００３２】
〔３〕前述の実施形態では、規制片５ｃを各載置部５ｂに部材幅方向に間隔を空けて２つ形成する場合を例に示したが、規制片５ｃを各載置部５ｂに１つだけ形成してもよく、又は、部材幅方向に間隔を空けて３つ以上形成してもよい。
【００３３】
〔４〕前述の実施形態では、規制片５ｃを各載置部５ｂの先端部における部材幅方向両端部に形成する場合を例に示したが、規制片５ｃは、例えば、載置部５ｂの先端における部材幅方向中間部や部材幅方向の一端部に形成してもよく、或いは、部材幅方向両端に亘って形成してもよい。要するに、ダクト側板２の外方側への傾倒を規制することができれば、如何様に構成してもよい。
【００３４】
〔５〕前述の実施形態では、天蓋補強部材６をダクト幅方向に平行する姿勢でダクト側壁２、２間に架設する場合を例に示したが、ダクト幅方向に平行する姿勢からダクト長手方向に傾斜した斜め姿勢で両ダクト側板２、２間に架設する構成にしてもよい。
【００３５】
〔６〕前述の実施形態では、直線型の配管用又は配線用化粧ダクトＤに本発明を適用する場合を例に示したが、例えば、曲線型やＴ字型などの種々の形状の配管用又は配線用化粧ダクトに本発明を適用してもよい。
【００３６】
〔７〕両ダクト側板２、２を連結する下部連結体３は、前述の実施形態で示した如き構造に限られるものではなく、例えば、板状や棒状などの種々の構造に構成してもよい。また、両ダクト側壁２、２間に形成の下部開口を覆う底板をもって下部連結体を構成してもよい。
【００３７】
〔８〕前述の実施形態では、複数本の下部連結体３により両ダクト側板２、２の複数箇所を連結してダクト本体１を構成する例を示したが、両ダクト側板２、２のダクト長手方向長さが短い場合には、両ダクト側板２、２の一箇所を連結してダクト本体１を構成してもよい。
【図面の簡単な説明】
【００３８】
【図１】本発明に係る配管用又は配線用化粧ダクトの分解斜視図
【図２】図１の要部拡大図
【図３】ダクト本体のダクト側板間に天蓋補強部材を架設した状態を示す要部平面図
【図４】本発明に係る配管用又は配線用化粧ダクトの要部断面部（図３のＡ−Ａ線に示す位置での断面図）
【符号の説明】
【００３９】
Ｄ          配管用又は配線用化粧ダクト
１          ダクト本体
１ａ        上部開口
２          ダクト側板
３          下部連結体
４          天蓋
５          天蓋補強部材
５ａ        支持片
５ｂ        載置部
５ｃ        規制片
【図１】
2008032080.tif 000003
【図２】
2008032080.tif 000004
【図３】
2008032080.tif 000005
【図４】
2008032080.tif 000006